(57)【要約】【課題】歯科治療中における患者の異常な生理状態の変化に対して、治療中のインスツルメントを自動的に停止させるようにして、患者の安全を保つようにした。【解決手段】肘受け１１の先端部に発汗量測定器２１、肘受け１２の先端部に血圧，脈拍測定器２２が設けられており、これらの測定値がモニタ２３に表示されるようになっている。歯科治療開始に先立って前記測定器によって測定された初期測定値、及び、患者の性別、年齢等の測定条件によって決定される当該患者の最大生理状態値、該最大生理状態値と該患者の歯科治療中における生理状態値とを得て、当該患者の歯科治療中における生理状態値が前記最大生理状態値に近づいた時にアラームを発生し、最大値に達した時に当該治療に使用の歯科治療具を停止させる。【選択図】図１
2005278743.tif 000002
【特許請求の範囲】
【請求項１】
歯科治療椅子に設けられた患者の生理状態を測定する測定器と、歯科治療開始に先立って前記測定器によって測定された測定値及び測定条件によって決定される当該患者の最大生理状態値を演算する演算装置と、該演算装置によって出力される当該患者の最大生理状態値と該患者の歯科治療中における前記測定器にて測定される生理状態値とを比較する比較装置と、当該患者の歯科治療中における生理状態値が前記当該患者の最大生理状態値に達した時に、当該治療に使用中の歯科治療具を停止させる手段とを有することを特徴とする歯科治療ユニット。
【請求項２】
前記当該患者の歯科治療前における生理状態値と、前記演算によって当該患者の最大生理状態値と、当該患者の歯科治療中における生理状態値とを同時に表示するモニタを有することを特徴とする請求項１に記載の歯科治療ユニット。
【請求項３】
前記測定条件は、当該患者の性別及び年齢であることを特徴とする請求項１又は２に記載の歯科治療ユニット。
【請求項４】
当該患者の歯科治療中における生理状態値が前記当該患者の最大生理状態値に近づいた時にアラーム音を発生するようにしたことを特徴とする請求項１乃至３のいずれかに記載の歯科治療ユニット。
【発明の詳細な説明】
【技術分野】
【０００１】
本発明は、歯科治療ユニット、より詳細には、患者用治療椅子に患者の生理的な状態（例えば、発汗量や血圧，脈拍等）を測定できる機能を持たせ、その生理的な状態をモニタ表示するとともに、その生理的な状態が予め設定された所定値を超えた時に、その時に使用している歯科治療インスツルメントを停止するようにしたものである。
【背景技術】
【０００２】
図４は、本発明が適用される歯科用治療ユニットの一例を示す全体構成図で、図中、１０は歯科治療ユニットで、該ユニット１０は、治療椅子１、ワークテーブル２、スピットン３、無影灯４、インスツルメントホルダー５、フットスイッチ６、アシスタント用インスツルメントホルダー７等から成り、インスツルメントホルダー５には、歯科治療において使用する種々のインスツルメント８が収納されており、周知のように、歯科治療に当たり、患者は椅子１に座り、頭を安頭台９に固定して治療を受ける。治療中、術者は治療椅子１を上下動，起倒，傾斜動等させて、患者を治療しやすい姿勢にして治療を行う。
【０００３】
歯科治療中、患者によっては、非常に緊張し、発汗したり、血圧や脈拍が上がったりする等生理的な異常を来たし、そのまま治療を続けることは危険である。しかし、従来の歯科治療ユニットにおいては、患者の生理的な状態をモニタリングする機能はついておらず、患者の緊張状態等は術者の感覚に頼るしかなかった。しかし、術者といえども、全ての患者の平常時の生理状態を知っているわけではなく、また、治療開始時の緊張状態がどの程度のものであったかを覚えているわけでもない。更には、治療開始時の患者の発汗量や血圧，脈拍は、患者の緊張の度合いにより平常時の発汗量や血圧より多少上がっているかも知れない。
【０００４】
患者の平常（又は、治療開始前）の生理状態を知るために、患者の血圧や脈拍数を計測することは行われているが、従来、治療中におけるこれら血圧や脈拍の異常変化に対しては何ら考慮されておらず、そのまま治療を続けることは危険である場合がある。
【０００５】
本発明は、上述のごとき実情に鑑みてなされたもので、歯科治療中における患者の異常な生理状態の変化に対して、治療中のインスツルメントを自動的に停止させるようにして、患者の安全を保つようにしたものである。
【発明の開示】
【発明が解決しようとする課題】
【０００６】
患者用歯科治療椅子に患者の生理状態（例えば、発汗量，血圧，脈拍等）を測定する測定手段を設け、歯科治療中、これらの生理状態を計測監視し、これらの生理状態が予め定められた値以上になった時、或いは、予め定められた値以上変化した時に、使用中の歯科治療具（インスツルメント）を自動的に停止させるようにした。
【課題を解決するための手段】
【０００７】
請求項１の発明は、歯科治療椅子に設けられた患者の生理状態を測定する測定器と、歯科治療開始に先立って前記測定器によって測定された測定値及び測定条件によって決定される当該患者の最大生理状態値を演算する演算装置と、該演算装置によって出力される当該患者の最大生理状態値と該患者の歯科治療中における前記測定器にて測定される生理状態値とを比較する比較装置と、当該患者の歯科治療中における生理状態値が前記当該患者の最大生理状態値に達した時に、当該治療に使用中の歯科治療具を停止させる手段とを有することを特徴としたものである。
【０００８】
請求項２の発明は、請求項１の発明において、前記当該患者の歯科治療前における生理状態値と、前記演算によって当該患者の最大生理状態値と、当該患者の歯科治療中における生理状態値とを同時に表示するモニタを有することを特徴としたものである。
【０００９】
請求項３の発明は、請求項１又は２の発明において、前記測定条件は、当該患者の性別及び年齢であることを特徴としたものである。
【００１０】
請求項４の発明は、請求項１乃至３のいずれかの発明において、当該患者の歯科治療中における生理状態値が前記当該患者の最大生理状態値に近づいた時にアラーム音を発生するようにしたことを特徴としたものである。
【発明の効果】
【００１１】
本発明の歯科治療ユニットによると、歯科治療中に患者の生理状態が異常に大きくなった時或いは異常に変化した時に、治療中のインスツルメントを自動的に停止するようにしたので、患者の生理的な異常による事故を未然に防ぐことができ、同時に、患者に安心感を与えることができ、更には、術者の判断ミスを避ける一助となり、術者の精神的負担を軽減することができる。
【発明を実施するための最良の形態】
【００１２】
図１は、本発明による歯科治療ユニットの一実施例を説明するための要部構成図で、図中、図４に示した従来の歯科治療ユニットと同じ作用をする部には、図４の場合と同一の参照番号を付し、その詳細な動作説明は省略する。而して、図１において、１１，１２は歯科治療椅子１に設けられた肘受けで、好ましくは、この肘受け１１，１２の先端部に発汗量測定器２１、及び、血圧，脈拍測定器２２等が設けられており、これらの測定値がモニタ２３に表示されるようになっている。
【００１３】
図２は、本発明の動作説明をするためのブロック図、図３は、モニタ２３上のディスプレイ表示例を示す図である。
歯科治療に当たり、患者は歯科治療椅子１に座り、肘受け１１，１２に肘を乗せ、例えば、左肘受け１１の先端部に設けられた発汗量測定器２１を左手で握り、右肘受け１２の先端部に設けられた血圧，脈拍測定器２２の例えば指挿入用の穴に中指を挿入すると、その時の発汗量及び血圧，脈拍が計測、記憶され、モニタ２３のディスプレイ２３ｃに例えばデジタル表示される（図３中の初期値を表示）。その状態で、モニタ２３或いはその他の任意の場所に設けられている操作キー２３ａより患者の性別、年齢等を入力すると、例えば、モニタ２３内に設けられているＣＰＵ（最大生理状態値演算部）２３ｂにより、当該患者の許容し得る最大値（生理状態が異常であると認められる値）が演算、記憶され、その値が例えば前記初期値の横に並んでデジタル表示される（図３中の最大値を表示）。
【００１４】
以降、歯科治療中、患者の発汗量の測定及び血圧，脈拍の測定は続行され、その都度、現在測定値が前記最大値表示の横に例えばデジタル表示（図３中の現在値の表示）される。歯科治療中、前記現在値は逐次変化するが、その値は比較器２３ｄにて前記最大値と比較され、その値が予め定められた最大値に近づくと、当該測定値が最大値に近づいたことを示すアラーム２４が鳴ったり、ディスプレイ２３ｃの現在値表示がフラッシングして患者の生理状態が臨界値に近づいていることを警告し、現在値が最大値に達すると、インスツルメント停止装置２５が作動して現在使用中の歯科治療器具（インスツルメント）の動力源を切断する等して、当該インスツルメントの使用を不能にする。
【００１５】
なお、使用中のインスツルメントが使用不能になった後は、治療椅子をアップライト位置に戻したり、音楽を流す等して患者をリラックスさせ、更にはインスツルメントが使用不能になった後、或いは、所定時間経過した後、前記警報が消え、現在測定値が前記最大値以下になり、或いは、前記現在測定値が初期値近傍に低下した時に、前記使用不能になったインスツルメントを再度使用可能にする。
【００１６】
以上の説明から明らかなように、本発明による歯科治療中、患者の生理状態が異常になった時に、アラーム表示をフラッシングしたりアラーム音を発生し、更には、使用中の歯科治療具（インスツルメント）を自動的に停止するようにしたので、患者の生理的異常を原因とする事故を未然に防ぐことができ、患者に対して安心感を与えることができ、更には、術者に対しても精神的安心感を与えることができ、術者の精神的負担を軽減して術者の疲労を軽減することができる。
【図面の簡単な説明】
【００１７】
【図１】本発明による歯科治療ユニットの一実施例を示す要部構成図である。
【図２】本発明の動作説明をするための要部ブロック図である。
【図３】図１に示したモニタの一表示例を説明するための図である。
【図４】本発明が適用される従来の歯科治療椅子の一例を説明するための要部構成図である。
【符号の説明】
【００１８】
１…歯科治療椅子、１０…歯科治療ユニット、１１，１２…肘受け、２１…発汗量測定器、２２…血圧，脈拍測定器、２３…モニタ（液晶表示装置）、２４…アラーム装置、２５…インスツルメント停止装置。
【図１】
2005278743.tif 000003
【図２】
2005278743.tif 000004
【図３】
2005278743.tif 000005
【図４】
2005278743.tif 000006